(57)【特許請求の範囲】
【請求項１】
複数の送信アンテナを用いた下りＭＩＭＯ伝送のために物理上り制御チャネルを介して、ＰＴＩ（Precoder  Type  Indicatior）と、ＰＴＩの値が０である場合にＲＩ（Rank  Indicator）に対応したワイドバンド第１ＰＭＩ（Precoding  Matrix  Indicator）と、ＰＴＩの値が０又は１である場合にＲＩに対応した第２ＰＭＩと、を無線基地局装置にフィードバックする方法であって、
ＰＴＩの値を０から１に変更する場合には、最後にフィードバックされたＲＩと同一のＲＩを選択する工程と、当該ＲＩ及び変更後のＰＴＩをサブフレームに多重する工程と、多重した信号を前記物理上り制御チャネルで無線基地局装置に送信する工程とを具備することを特徴とするフィードバック方法。
【請求項２】
無線基地局装置において、ＰＴＩの値が０のときに最後にフィードバックされたワイドバンド第１ＰＭＩと、ＰＴＩの値が０又は１のときにフィードバックされた第２ＰＭＩと、をプリコーディングウェイトの生成に用いることを特徴とする請求項１記載のフィードバック方法。
【請求項３】
複数の送信アンテナを用いた下りＭＩＭＯ伝送のために物理上り制御チャネルを介して、ＰＴＩと、ＰＴＩの値が０である場合にＲＩに対応したワイドバンド第１ＰＭＩと、ＰＴＩの値が０又は１である場合にＲＩに対応した第２ＰＭＩと、を無線基地局装置にフィードバックする方法であって、
最後にフィードバックされたＲＩと異なるＲＩを選択する場合にはＰＴＩの値に０を選択する工程と、当該ＰＴＩ及び変更後のＲＩをサブフレームに多重する工程と、多重した信号を前記物理上り制御チャネルで無線基地局装置に送信する工程とを具備することを特徴とするフィードバック方法。
【請求項４】
複数の送信アンテナを用いた下りＭＩＭＯ伝送のために物理上り制御チャネルを介して、ＰＴＩと、ＰＴＩの値が０である場合にＲＩに対応したワイドバンド第１ＰＭＩと、ＰＴＩの値が０又は１である場合にＲＩに対応した第２ＰＭＩと、を無線基地局装置にフィードバックする方法であって、
無線基地局装置でＲＩに応じてワイドバンド第１ＰＭＩとして用いられる仮想ＰＭＩを予め蓄積する工程と、移動端末装置で最後にフィードバックされたＲＩと異なるＲＩを選択し、ＰＴＩの値に１を選択する場合には、当該変更後のＲＩ及びＰＴＩをサブフレームに多重する工程と、多重した信号を前記物理上り制御チャネルで無線基地局装置に送信する工程と、無線基地局装置で前記変更後のＲＩに応じた前記仮想ＰＭＩをプリコーディングウェイトの生成に用いる工程とを具備することを特徴とするフィードバック方法。
【請求項５】
複数の送信アンテナを用いた下りＭＩＭＯ伝送のために物理上り制御チャネルを介して、ＰＴＩと、ＰＴＩの値が０である場合にＲＩに対応したワイドバンド第１ＰＭＩと、ＰＴＩの値が０又は１である場合にＲＩに対応した第２ＰＭＩと、を無線基地局装置にフィードバックする方法であって、
無線基地局装置で最後にフィードバックされたＲＩ及びワイドバンド第１ＰＭＩと変更後のＲＩとの組合せに応じてワイドバンド第１ＰＭＩとして用いられる仮想ＰＭＩを予め蓄積する工程と、移動端末装置で最後にフィードバックされたＲＩと異なるＲＩを選択し、ＰＴＩの値に１を選択する場合には、当該変更後のＲＩ及びＰＴＩをサブフレームに多重する工程と、多重した信号を前記物理上り制御チャネルで無線基地局装置に送信する工程と、無線基地局装置で前記変更後のＲＩと最後にフィードバックされたＲＩ及びワイドバンド第１ＰＭＩとに応じた前記仮想ＰＭＩをプリコーディングウェイトの生成に用いる工程とを具備することを特徴とするフィードバック方法。
【請求項６】
移動端末装置でＰＴＩの値が０の場合にレポート３に対応するフィードバック情報の一部にサブバンドに関するフィードバック情報を多重し、多重した信号を前記物理上り制御チャネルで無線基地局装置に送信することを特徴とする請求項１から請求項５のいずれかに記載のフィードバック方法。
【請求項７】
移動端末装置でＰＴＩの値に応じてサブフレームに多重するフィードバック情報を、ＳＵ（Single  User）−ＭＩＭＯ伝送用のフィードバック情報と、ＭＵ（Multiple  User）−ＭＩＭＯ伝送用のフィードバック情報との間で切り替えることを特徴とする請求項６記載のフィードバック方法。
【請求項８】
無線基地局装置からＰＴＩの値を通知し、移動端末装置で通知された内容に応じてＰＴＩの値を選択することを特徴とする請求項７記載のフィードバック方法。
【請求項９】
移動端末装置において、無線基地局装置で選択されたＭＩＭＯ伝送方式をブラインド検出し、その検出結果に適したＰＴＩの値を選択することを特徴とする請求項７記載のフィードバック方法。
【請求項１０】
無線基地局装置からＰＴＩの値を切り替える周期を通知し、移動端末装置で前記周期に従って定期的にＰＴＩの値を切り替えることを特徴とする請求項７記載のフィードバック方法。
【請求項１１】
無線基地局装置から一定周期でＰＴＩの値を０とする周期を通知し、移動端末装置で当該周期に従ってＰＴＩの値を０とすることを特徴とする請求項１０記載のフィードバック方法。
【請求項１２】
複数の送信アンテナを用いた下りＭＩＭＯ伝送のために物理上り制御チャネルを介して、ＰＴＩと、ＰＴＩの値が０である場合にＲＩに対応したワイドバンド第１ＰＭＩと、ＰＴＩの値が０又は１である場合にＲＩに対応した第２ＰＭＩと、を無線基地局装置にフィードバックするモードにおいて、ＰＴＩの値を０から１に変更する場合には、最後にフィードバックされたＲＩと同一のＲＩを選択するフィードバック情報選択手段と、当該ＲＩ及び変更後のＰＴＩをサブフレームに多重する多重手段と、多重した信号を前記物理上り制御チャネルで無線基地局装置に送信する送信手段とを具備することを特徴とする移動端末装置。
【請求項１３】
複数の送信アンテナを用いた下りＭＩＭＯ伝送のために物理上り制御チャネルを介して、ＰＴＩと、ＰＴＩの値が０である場合にＲＩに対応したワイドバンド第１ＰＭＩと、ＰＴＩの値が０又は１である場合にＲＩに対応した第２ＰＭＩと、を無線基地局装置にフィードバックするモードにおいて、最後にフィードバックされたＲＩと異なるＲＩを選択する場合にはＰＴＩの値に０を選択するフィードバック情報選択手段と、当該ＰＴＩ及び変更後のＲＩをサブフレームに多重する多重手段と、多重した信号を前記物理上り制御チャネルで無線基地局装置に送信する送信手段とを具備することを特徴とする移動端末装置。
【請求項１４】
複数の送信アンテナを用いた下りＭＩＭＯ伝送のために物理上り制御チャネルを介して、ＰＴＩと、ＰＴＩの値が０である場合にＲＩに対応したワイドバンド第１ＰＭＩと、ＰＴＩの値が０又は１である場合にＲＩに対応した第２ＰＭＩと、を移動端末装置からフィードバックされる無線基地局装置であって、
ＲＩに応じてワイドバンド第１ＰＭＩとして用いられる仮想ＰＭＩを蓄積する蓄積手段と、前記上り制御チャネルで信号を受信する受信手段と、最後にフィードバックされたＲＩと異なるＲＩが選択され、ＰＴＩの値に１が選択されたフィードバック情報を検出すると、変更後のＲＩに応じた前記仮想ＰＭＩを前記蓄積手段から取得する取得手段と、前記変更後のＲＩに応じた前記仮想ＰＭＩを用いてプリコーディングウェイトを生成するウェイト生成手段とを具備することを特徴とする無線基地局装置。
【請求項１５】
複数の送信アンテナを用いた下りＭＩＭＯ伝送のために物理上り制御チャネルを介して、ＰＴＩと、ＰＴＩの値が０である場合にＲＩに対応したワイドバンド第１ＰＭＩと、ＰＴＩの値が０又は１である場合にＲＩに対応した第２ＰＭＩと、を移動端末装置からフィードバックされる無線基地局装置であって、
最後にフィードバックされたＲＩ及びワイドバンド第１ＰＭＩと変更後のＲＩとの組合せに応じてワイドバンド第１ＰＭＩとして用いられる仮想ＰＭＩを蓄積する蓄積手段と、前記上り制御チャネルでフィードバック情報を受信する受信手段と、最後にフィードバックされたＲＩと異なるＲＩが選択され、ＰＴＩの値に１が選択された前記フィードバック情報を検出すると、最後にフィードバックされたＲＩ及びワイドバンド第１ＰＭＩと変更後のＲＩとの組合せに応じた前記仮想ＰＭＩを前記蓄積手段から取得する取得手段と、前記変更後のＲＩに応じた前記仮想ＰＭＩを用いてプリコーディングウェイトを生成するウェイト生成手段とを具備することを特徴とする無線基地局装置。
【発明の詳細な説明】
【技術分野】
【０００１】
本発明は、フィードバック方法、移動端末装置及び無線基地局装置に関し、特に、マルチアンテナ伝送に対応するフィードバック方法、移動端末装置及び無線基地局装置に関する。
【背景技術】
【０００２】
ＵＭＴＳ（Universal  Mobile  Telecommunications  System）ネットワークにおいては、周波数利用効率の向上、データレートの向上を目的として、ＨＳＤＰＡ（High  Speed  Downlink  Packet  Access）やＨＳＵＰＡ（High  Speed  Uplink  Packet  Access）を採用することにより、Ｗ-ＣＤＭＡ（Wideband  Code  Division  Multiple  Access）をベースとしたシステムの特徴を最大限に引き出すことが行われている。このＵＭＴＳネットワークについては、更なる高速データレート、低遅延などを目的としてロングタームエボリューション（ＬＴＥ:Long  Term  Evolution）が検討されている。
【０００３】
第３世代のシステムは、概して５ＭＨｚの固定帯域を用いて、下り回線で最大２Ｍｂｐｓ程度の伝送レートを実現できる。一方、ＬＴＥ方式のシステムにおいては、１．４ＭＨｚ〜２０ＭＨｚの可変帯域を用いて、下り回線で最大３００Ｍｂｐｓ及び上り回線で７５Ｍｂｐｓ程度の伝送レートを実現できる。また、ＵＭＴＳネットワークにおいては、更なる広帯域化及び高速化を目的として、ＬＴＥの後継のシステムも検討されている（例えば、ＬＴＥアドバンスト（ＬＴＥ−Ａ））。例えば、ＬＴＥ−Ａにおいては、ＬＴＥ仕様の最大システム帯域である２０ＭＨｚを、１００ＭＨｚ程度まで拡張することが予定されている。また、ＬＴＥ仕様の最大送信アンテナ数である４送信アンテナを、８送信アンテナまで拡張することが予定されている。
【０００４】
ＬＴＥ方式のシステム（ＬＴＥシステム）においては、複数のアンテナでデータを送受信し、データレート（周波数利用効率）を向上させる無線通信技術としてＭＩＭＯ(Multi  Input  Multi  Output)システムが提案されている（例えば、非特許文献１参照）。ＭＩＭＯシステムにおいては、送受信機に複数の送信／受信アンテナを用意し、異なる送信アンテナから同時に異なる送信情報系列を送信する。一方、受信機側では、送信／受信アンテナ間で異なるフェージング変動が生じることを利用して、同時に送信された情報系列を分離して検出することにより、データレート（周波数利用効率）を増大することが可能である。
【０００５】
また、ＬＴＥシステムにおいては、異なる送信アンテナから同時に送信する送信情報系列が、全て同一のユーザのものであるシングルユーザＭＩＭＯ（ＳＵ−ＭＩＭＯ(Single  User  MIMO)）と、異なるユーザのものであるマルチユーザＭＩＭＯ（ＭＵ−ＭＩＭＯ(Multiple  User  MIMO)）とが規定されている。これらのＳＵ−ＭＩＭＯ伝送及びＭＵ−ＭＩＭＯ伝送においては、受信機側で送信機のアンテナに設定すべき位相・振幅制御量（プリコーディングウェイト）と、このプリコーディングウェイトに対応づけられるＰＭＩ（Precoding  Matrix  Indicator）とをランク毎に複数定めたコードブックから最適なＰＭＩを選択して送信機にフィードバックすると共に、最適なランクを示すＲＩ（Rank  Indicator）を選択して送信機にフィードバックする。送信機側では、受信機からフィードバックされたＰＭＩ、ＲＩに基づいて各送信アンテナに対するプリコーディングウェイトを特定し、プリコーディングを行って送信情報系列を送信する。
【先行技術文献】
【非特許文献】
【０００６】
【非特許文献１】3GPP  TR  25.913“Requirements  for  Evolved  UTRA  and  Evolved  UTRAN”
【発明の概要】
【発明が解決しようとする課題】
【０００７】
上述したように、ＬＴＥ−Ａにおいて、最大送信アンテナ数を８送信アンテナに拡張することが予定されている。そして、８送信アンテナを用いた下りＭＩＭＯ伝送においては、２つの異なるコードブックから選択された２種類のＰＭＩによりプリコーディングウェイトが生成される。このため、２種類のＰＭＩの双方がフィードバックされないと、プリコーディングウェイトを生成できない事態が発生し得る。
【０００８】
本発明はかかる点に鑑みてなされたものであり、複数の送信アンテナを用いた下りＭＩＭＯ伝送においても、確実にプリコーディングウェイトを生成することができるフィードバック方法、移動端末装置及び無線基地局装置を提供することを目的とする。
【課題を解決するための手段】
【０００９】
本発明のフィードバック方法は、複数の送信アンテナを用いた下りＭＩＭＯ伝送のために物理上り制御チャネルを介して、ＰＴＩ（Precoder  Type  Indicatior）と、ＰＴＩの値が０である場合にＲＩ（Rank  Indicator）に対応したワイドバンド第１ＰＭＩ（Precoding  Matrix  Indicator）と、ＰＴＩの値が０又は１である場合にＲＩに対応した第２ＰＭＩと、を無線基地局装置にフィードバックする方法であって、ＰＴＩの値を０から１に変更する場合には、最後にフィードバックされたＲＩと同一のＲＩを選択する工程と、当該ＲＩ及び変更後のＰＴＩをサブフレームに多重する工程と、多重した信号を前記物理上り制御チャネルで無線基地局装置に送信する工程とを具備することを特徴とする。
【００１０】
本発明の移動端末装置は、複数の送信アンテナを用いた下りＭＩＭＯ伝送のために物理上り制御チャネルを介して、ＰＴＩと、ＰＴＩの値が０である場合にＲＩに対応したワイドバンド第１ＰＭＩと、ＰＴＩの値が０又は１である場合にＲＩに対応した第２ＰＭＩと、を無線基地局装置にフィードバックするモードにおいて、ＰＴＩの値を０から１に変更する場合には、最後にフィードバックされたＲＩと同一のＲＩを選択するフィードバック情報選択手段と、当該ＲＩ及び変更後のＰＴＩをサブフレームに多重する多重手段と、多重した信号を前記物理上り制御チャネルで無線基地局装置に送信する送信手段とを具備することを特徴とする。
【００１１】
本発明の無線基地局装置においては、複数の送信アンテナを用いた下りＭＩＭＯ伝送のために物理上り制御チャネルを介して、ＰＴＩと、ＰＴＩの値が０である場合にＲＩに対応したワイドバンド第１ＰＭＩと、ＰＴＩの値が０又は１である場合にＲＩに対応した第２ＰＭＩと、を移動端末装置からフィードバックされる無線基地局装置であって、ＲＩに応じてワイドバンド第１ＰＭＩとして用いられる仮想ＰＭＩを蓄積する蓄積手段と、前記上り制御チャネルで信号を受信する受信手段と、最後にフィードバックされたＲＩと異なるＲＩが選択され、ＰＴＩの値に１が選択されたフィードバック情報を検出すると、変更後のＲＩに応じた前記仮想ＰＭＩを前記蓄積手段から取得する取得手段と、前記変更後のＲＩに応じた前記仮想ＰＭＩを用いてプリコーディングウェイトを生成するウェイト生成手段とを具備することを特徴とする。
【発明の効果】
【００１２】
本発明によれば、複数の送信アンテナを用いた下りＭＩＭＯ伝送においても、確実にプリコーディングウェイトを生成することが可能となる。
【図面の簡単な説明】
【００１３】
【図１】本発明に係るフィードバック方法が適用されるＭＩＭＯシステムの概念図である。
【図２】ＰＵＣＣＨを用いたＰＭＩ／ＣＱＩ／ＲＩフィードバックの説明図である。
【図３】ＰＵＣＣＨを用いたサブバンドＣＱＩフィードバックの説明図である。
【図４】ＰＵＣＣＨを用いたＰＭＩ／ＣＱＩ／ＲＩフィードバックの説明図である。
【図５】８送信アンテナを用いた下りＭＩＭＯ伝送におけるＰＵＣＣＨを用いたＰＭＩ／ＣＱＩ／ＲＩフィードバックの説明図である。
【図６】本発明の実施の形態に係る移動通信システムの構成を説明するための図である。
【図７】本発明の実施の形態１に係る移動端末装置の構成を示すブロック図である。
【図８】実施の形態１に係る基地局装置の構成を示すブロック図である。
【図９】本発明の実施の形態２に係る移動通信システムにおけるＰＵＣＣＨを用いたフィードバック方法の説明図である。
【発明を実施するための形態】
【００１４】
以下、本発明の実施の形態について、添付図面を参照して詳細に説明する。まず、ＬＴＥ−Ａシステムで行われる下りリンクＭＩＭＯ伝送におけるプリコーディングについて、図１に示すＭＩＭＯシステムを前提に説明する。図１は、本発明に係るフィードバック方法が適用されるＭＩＭＯシステムの概念図である。なお、図１に示すＭＩＭＯシステムにおいては、無線基地局装置（以下、単に「基地局装置」という）ｅＮｏｄｅＢ及び移動端末装置ＵＥがそれぞれ８本のアンテナを備える場合について示している。
【００１５】
下りリンクＭＩＭＯ伝送におけるプリコーディングでは、移動端末装置ＵＥにおいて、各アンテナからの受信信号を用いてチャネル変動量を測定し、測定したチャネル変動量に基づいて、基地局装置ｅＮｏｄｅＢの各送信アンテナからの送信データを合成した後のスループット（又は受信ＳＩＮＲ（Signal  to  Interference  and  Noise  Ratio））が最大となる位相・振幅制御量（プリコーディングウェイト）に応じたＰＭＩ（Precoding  Matrix  Indicator）及びＲＩ（Rank  Indicator）を選択する。そして、この選択したＰＭＩ及びＲＩを、チャネル品質情報を示すＣＱＩ（Channel  Quality  Indicator）とともに上りリンクで基地局装置ｅＮｏｄｅＢにフィードバックする。基地局装置ｅＮｏｄｅＢにおいては、移動端末装置ＵＥからフィードバックされたＰＭＩ及びＲＩに基づいて送信データにプリコーディングを行った後、各アンテナから情報伝送を行う。
【００１６】
図１に示す移動端末装置ＵＥにおいて、信号分離・復号部１１は、受信アンテナＲＸ＃１〜ＲＸ＃８を介して受信した受信信号に含まれる制御チャネル信号及びデータチャネル信号の分離及び復号を行う。信号分離・復号部１１にて復号処理が施されることで移動端末装置ＵＥに対するデータチャネル信号が再生される。ＰＭＩ選択部１２は、図示しないチャネル推定部により推定されたチャネル状態に応じてＰＭＩを選択する。この際、ＰＭＩ選択部１２は、移動端末装置ＵＥ及び基地局装置ｅＮｏｄｅＢの双方でランク毎に既知のＮ個のプリコーディングウェイト（プリコーディング行列）と、このプリコーディングウェイトに対応づけられるＰＭＩとを定めたコードブック１３から最適なＰＭＩを選択する。ＲＩ選択部１４は、チャネル推定部により推定されたチャネル状態に応じてＲＩを選択する。これらのＰＭＩ及びＲＩは、フィードバック情報としてチャネル品質情報を示すＣＱＩとともに基地局装置ｅＮｏｄｅＢに送信される。
【００１７】
一方、図１に示す基地局装置ｅＮｏｄｅＢにおいて、プリコーディングウェイト生成部２１は、移動端末装置ＵＥからフィードバックされたＰＭＩ及びＲＩに基づいて、プリコーディングウェイトを生成する。プリコーディング乗算部２２は、シリアル／パラレル変換部（Ｓ／Ｐ）２３によりパラレル変換された送信信号にプリコーディングウェイトを乗算することで、送信アンテナＴＸ＃１〜ＴＸ＃８毎に位相・振幅をそれぞれ制御（シフト）する。これにより、位相・振幅シフトされた送信データが８本の送信アンテナＴＸ＃１〜ＴＸ＃８から送信される。
【００１８】
ここで、このような下りリンクＭＩＭＯ伝送において、移動端末装置から基地局装置ｅＮｏｄｅＢに対するチャネル情報（ＰＭＩ／ＣＱＩ／ＲＩ：以下、適宜「フィードバック情報」という）のフィードバック方法について説明する。図２は、下りリンクＭＩＭＯ伝送において、ＰＵＣＣＨ（Physical  Uplink  Control  Channel）で移動端末装置ＵＥから基地局装置ｅＮｏｄｅＢにフィードバック情報をフィードバックする方法について説明するための図である。図２においては、フィードバック情報が周期的にフィードバックされる場合（以下、「Periodicフィードバック」という）について示している。
【００１９】
Periodicフィードバックにおいては、図２（ａ）に示すように、ワイドバンドＣＱＩ（ＷＢ−ＣＱＩ）及びワイドバンドＰＭＩ（ＷＢ−ＰＭＩ）と、ＲＩとを個別のサブフレームでフィードバックするモードと、図２（ｂ）に示すように、ＷＢ−ＣＱＩ及びＷＢ−ＰＭＩと、ＲＩと、選択されたサブバンドＣＱＩ（ＳＢ−ＣＱＩ）とを個別のサブフレームでフィードバックするモードとがある。図２（ａ）、（ｂ）に示すモードにおいて、フィードバック情報（ＰＭＩ／ＣＱＩ、ＲＩ）は、ＰＵＣＣＨを用いてフィードバックされる。
【００２０】
図２（ａ）に示すモードにおいて、ＷＢ−ＰＭＩ及びＷＢ−ＣＱＩとＲＩとは、異なるサブフレーム（ＴＴＩ：Transmission  Time  Interval、伝送時間間隔）でフィードバックされる。図２（ａ）においては、ＰＵＣＣＨのチャネル情報のフィードバックモードがモード１−１であって、ＷＢ−ＰＭＩ／ＷＢ−ＣＱＩの周期が５サブフレームであり、ＲＩの周期がＷＢ−ＰＭＩ／ＷＢ−ＣＱＩの周期の２倍（１０サブフレーム）であり、ＲＩをフィードバックするサブフレームが、ＷＢ−ＰＭＩ／ＷＢ−ＣＱＩをフィードバックするサブフレームから２サブフレームだけオフセットされる場合について示している。この場合において、ＷＢ−ＰＭＩ／ＷＢ−ＣＱＩとＲＩとは互いに独立して符号化されてフィードバックされる。
【００２１】
一方、図２（ｂ）に示すモードにおいて、ＷＢ−ＰＭＩ及びＷＢ−ＣＱＩと、ＲＩと、ＳＢ−ＣＱＩとは、異なるサブフレーム（ＴＴＩ）でフィードバックされる。図２（ｂ）においては、ＰＵＣＣＨのチャネル情報のフィードバックモードがモード２−１であって、ＷＢ−ＰＭＩ／ＷＢ−ＣＱＩ（ＳＢ−ＣＱＩ）の周期が２サブフレームであり、ＲＩの周期がＷＢ−ＰＭＩ／ＷＢ−ＣＱＩの周期の５倍（１０サブフレーム）であり、ＲＩをフィードバックするサブフレームが、ＷＢ−ＰＭＩ／ＷＢ−ＣＱＩをフィードバックするサブフレームから１サブフレームだけオフセットされる場合について示している。
【００２２】
また、図２（ｂ）においては、サブバンド（Bandwidth  Part(ＢＰ)）数が２であり、ＳＢ−ＣＱＩをフィードバックするサブフレームにおけるＷＢ−ＰＭＩ／ＷＢ−ＣＱＩをフィードバックするサブフレームに対するオフセットが２サブフレームであり、ＷＢ−ＰＭＩ／ＷＢ−ＣＱＩのフィードバックの周期間に同一サブバンドのＳＢ−ＣＱＩを２回フィードバックする場合について示している。この場合において、ＷＢ−ＰＭＩ／ＷＢ−ＣＱＩとＲＩとＳＢ−ＣＱＩとは互いに独立して符号化されてフィードバックされる。
【００２３】
図３は、ＰＵＣＣＨを用いたサブバンドＣＱＩフィードバックを説明するための図である。なお、図３においては、システム帯域がＪ個のBandwidth  Part(ＢＰ)で構成され、各ＢＰが２つのサブバンドで構成される場合について示している。また、図３においては、基地局装置ｅＮｏｄｅＢにてコードワード（ＣＷ）毎に適切なＭＣＳ（Modulation  and  Coding  Scheme）を選択可能とするために２つのＣＷ（ＣＷ１、ＣＷ２）に対応するＣＱＩがフィードバックされる場合について示している。
【００２４】
図３に示すように、フィードバックモード２−１におけるＰＵＣＣＨを用いたサブバンドＣＱＩフィードバック（３ＧＰＰ  ＴＳ３６．２１３）においては、各ＢＰで最も高い受信ＳＩＮＲを示すサブバンドが選択され、そのサブバンドにおけるＣＱＩが、ＳＢインデックスとともに基地局装置ｅＮｏｄｅＢにフィードバックされる。さらに、各ＢＰの情報は、Cyclicにフィードバックされる。なお、ＲＩ、ＷＢ−ＰＭＩ及びＷＢ−ＣＱＩ（ＣＷ１、ＣＷ２）は、システム帯域に対応してフィードバックされる。
【００２５】
図３に示すＲＩ、ＷＢ−ＰＭＩ、ＷＢ−ＣＱＩ及びＳＢ−ＣＱＩ（ＣＷ１、ＣＷ２）は、図２（ｂ）の態様で示すと、図４に示すように各サブフレームに割り当てられる。なお、図４においては、説明の便宜上、ＲＩが割り当てられるサブフレームを第１サブフレームと呼ぶものとする。図４に示すように、ＲＩは、第１サブフレームでフィードバックされ、ＷＢ−ＰＭＩ及びＷＢ−ＣＱＩ（ＣＷ１、ＣＷ２）は、第２サブフレームでフィードバックされる。ＳＢ−ＣＱＩは、ＳＢインデックスとともに第４、第６、第８及び第１０サブフレームでフィードバックされる。ここでは、第４、第８サブフレームでＳＢ−ＣＱＩ１（ＣＷ１、ＣＷ２）がＳＢインデックス１とともにフィードバックされ、第６、第１０サブフレームでＳＢ−ＣＱＩ２（ＣＷ１、ＣＷ２）がＳＢインデックス２とともにフィードバックされる場合について示している。
【００２６】
ところで、上述したように、８送信アンテナを用いた下りＭＩＭＯ伝送においては、２つの異なるコードブック（以下、「ダブルコードブック」という）から選択された２種類のＰＭＩによりプリコーディングウェイトが生成される。ここで、ダブルコードブックは、ワイドバンド／長周期用の第１コードブックと、サブバンド／短周期用の第２コードブックとから構成される。８送信アンテナを用いた下りＭＩＭＯ伝送においては、第１コードブックから選択されたＷＢ−ＰＭＩ（ＷＢ−ＰＭＩ１）と、第２コードブックから選択されたＳＢ−ＰＭＩ（ＳＢ−ＰＭＩ２）とが基地局装置ｅＮｏｄｅＢにフィードバックされる。なお、第２コードブックはサブバンド／短周期用ではあるが、ＳＢ−ＰＭＩ２だけでなくＷＢ−ＰＭＩ（ＷＢ−ＰＭＩ２）も選択できるようになっている。なお、ＷＢ−ＰＭＩ１は、ワイドバンド第１ＰＭＩを構成する。
【００２７】
このような８送信アンテナを用いた下りＭＩＭＯ伝送におけるフィードバックモード２−１において、プリコーディングウェイトは、最後にフィードバックされたＲＩに基づいて調整される３つのサブフレームにおけるフィードバック情報から決定される。これらの３つのサブフレームにおけるフィードバック情報は、３サブフレームレポートと呼ぶことができる。この３サブフレームレポートは、フィードバック情報をそれぞれ定めたレポート１〜レポート３で構成される。
【００２８】
レポート１においては、ＲＩと、１ビットのＰＴＩ（Precoder  Type  Indicatior）とが定められている。レポート２、レポート３においては、レポート１におけるＰＴＩの値に応じた情報が定められる。レポート２においては、ＰＴＩの値が「０」の場合に第１コードブックから選択されるＷＢ−ＰＭＩ１がフィードバックされ、ＰＴＩの値が「１」の場合にＷＢ−ＣＱＩ及び第２コードブックから選択されるＷＢ−ＰＭＩ２がフィードバックされる。レポート３においては、ＰＴＩの値が「０」の場合にＷＢ−ＣＱＩ及び第２コードブックから選択されるＷＢ−ＰＭＩ２がフィードバックされ、ＰＴＩの値が「１」の場合にＳＢ−ＣＱＩ及び第２コードブックから選択されるＳＢ−ＰＭＩ２がフィードバックされる。すなわち、ＰＴＩの値を変更することで、レポート３でフィードバックされる情報がワイドバンドに関するフィードバック情報と、サブバンドに関するフィードバック情報との間で切り替え可能に構成されている。
【００２９】
図５は、８送信アンテナを用いた下りＭＩＭＯ伝送におけるＰＵＣＣＨを用いたＰＭＩ／ＣＱＩ／ＲＩフィードバックの説明図である。図５（ａ）においては、ＰＴＩ＝０の場合におけるフィードバック情報を示し、図５（ｂ）においては、ＰＴＩ＝１の場合におけるフィードバック情報を示している。なお、図５においては、サブバンド（ＢＰ）数が２である場合について示している。また、図５においては、説明の便宜上、ＲＩが割り当てられるサブフレームを第１サブフレームと呼ぶものとする。
【００３０】
ＰＴＩ＝０の場合、図５（ａ）に示すように、第１サブフレームにおいて、ＲＩ及びＰＴＩ（ＰＴＩ＝０）がフィードバックされる（レポート１）。また、第２サブフレームにおいて、第１コードブックから選択されるＷＢ−ＰＭＩ１がフィードバックされる（レポート２）。さらに、第４、第６、第８及び第１０サブフレームにおいて、ＷＢ−ＣＱＩ（ＣＷ１、ＣＷ２）及び第２コードブックから選択されるＷＢ−ＰＭＩ２がフィードバックされる（レポート３）。
【００３１】
ＰＴＩ＝１の場合、図５（ｂ）に示すように、第１サブフレームにおいて、ＲＩ及びＰＴＩ（ＰＴＩ＝１）がフィードバックされる（レポート１）。また、第２サブフレームにおいて、ＷＢ−ＣＱＩ（ＣＷ１、ＣＷ２）及び第２コードブックから選択されるＷＢ−ＰＭＩ２がフィードバックされる（レポート２）。さらに、第４、第６、第８及び第１０サブフレームにおいて、ＳＢ−ＣＱＩ及びＳＢインデックスと、第２コードブックから選択されるＳＢ−ＰＭＩ２がフィードバックされる（レポート３）。ここでは、第４、第８サブフレームでＳＢ−ＣＱＩ１（ＣＷ１、ＣＷ２）及びＳＢインデックス１とＳＢ−ＰＭＩ２とがフィードバックされ、第６、第１０サブフレームでＳＢ−ＣＱＩ２（ＣＷ１、ＣＷ２）及びＳＢインデックス２とＳＢ−ＰＭＩ２とがフィードバックされる場合について示している。
【００３２】
上述したように、８送信アンテナを用いた下りＭＩＭＯ伝送におけるフィードバックモード２−１において、プリコーディングウェイトは、最後（最も直近）にフィードバックされたＲＩに基づいて調整される３つのサブフレームにおけるフィードバック情報（３サブフレームレポート）から決定される。このプリコーディングウェイトは、３サブフレームレポートに含まれるＷＢ−ＰＭＩ１にＷＢ−ＰＭＩ２（又はＳＢ−ＰＭＩ２）を掛け合わせることで生成される（ＷＢ−ＰＭＩ１×ＷＢ−ＰＭＩ２（又はＳＢ−ＰＭＩ２））。したがって、ＷＢ−ＰＭＩ１及びＷＢ−ＰＭＩ２（又はＳＢ−ＰＭＩ２）のいずれか一方のみでは、プリコーディングウェイトを生成することはできない。
【００３３】
８送信アンテナを用いた下りＭＩＭＯ伝送におけるフィードバックモード２−１においては、図５に示すように、レポート１に含まれるＰＴＩの値を変更することで動的にフィードバック情報を切り替えることができる。しかしながら、ＰＴＩの値が０から１に変更される場合において、ＲＩが示すランクも変更される場合には、変更後のランクに対応するＷＢ−ＰＭＩ１に関する情報が欠落してしまい、適切なプリコーディングウェイトを生成することができない事態が発生し得る。
【００３４】
本発明者らは、ＰＴＩの値を動的に変更する場合にＷＢ−ＰＭＩ１の欠落に起因してプリコーディングウェイトが生成できなくなる点に着目し、ＰＴＩの値及びＲＩが示すランクの同時の変更を防止すること、或いは、基地局装置ｅＮｏｄｅＢでプリコーディングウェイトの生成に用いるＷＢ−ＰＭＩ１（又はこれに相当するＰＭＩ）を保持することにより、８送信アンテナを用いた下りＭＩＭＯ伝送においても、確実にプリコーディングウェイトを生成できることを見出し、本発明をするに至ったものである。
【００３５】
すなわち、本発明の第１の骨子は、複数の送信アンテナ（例えば、８送信アンテナ）を用いた下りＭＩＭＯ伝送のために物理上り制御チャネル（ＰＵＣＣＨ）にＰＴＩを含めて基地局装置ｅＮｏｄｅＢにフィードバックするモードにおいて、ＰＴＩの値を０から１に変更する場合には、最後にフィードバックされたＲＩと同一のＲＩを選択し、当該ＲＩ及び変更後のＰＴＩをサブフレームに多重し、多重した信号を物理上り制御チャネルで基地局装置ｅＮｏｄｅＢに送信することにより、複数の送信アンテナを用いた下りＭＩＭＯ伝送においても、確実にプリコーディングウェイトを生成することである。
【００３６】
また、本発明の第２の骨子は、複数の送信アンテナを用いた下りＭＩＭＯ伝送のために物理上り制御チャネル（ＰＵＣＣＨ）にＰＴＩを含めて基地局装置ｅＮｏｄｅＢにフィードバックするモードにおいて、最後にフィードバックされたＲＩと異なるＲＩを選択する場合にはＰＴＩの値に０を選択し、当該ＰＴＩ及び変更後のＲＩをサブフレームに多重し、多重した信号を物理上り制御チャネルで基地局装置ｅＮｏｄｅＢに送信することにより、複数の送信アンテナを用いた下りＭＩＭＯ伝送においても、確実にプリコーディングウェイトを生成することである。
【００３７】
さらに、本発明の第３の骨子は、複数の送信アンテナを用いた下りＭＩＭＯ伝送のために物理上り制御チャネル（ＰＵＣＣＨ）にＰＴＩを含めて基地局装置ｅＮｏｄｅＢにフィードバックするモードにおいて、基地局装置ｅＮｏｄｅＢでＲＩに応じてＷＢ−ＰＭＩ１として用いられる仮想ＰＭＩを予め蓄積しておき、移動端末装置ＵＥで最後にフィードバックされたＲＩと異なるＲＩを選択し、ＰＴＩの値に１を選択する場合には、当該変更後のＲＩ及びＰＴＩをサブフレームに多重し、多重した信号を物理上り制御チャネルで基地局装置ｅＮｏｄｅＢに送信し、基地局装置ｅＮｏｄｅＢで変更後のＲＩに応じた仮想ＰＭＩをプリコーディングウェイトの生成に用いることにより、複数の送信アンテナを用いた下りＭＩＭＯ伝送においても、確実にプリコーディングウェイトを生成することである。
【００３８】
さらに、本発明の第４の骨子は、複数の送信アンテナを用いた下りＭＩＭＯ伝送のために物理上り制御チャネル（ＰＵＣＣＨ）にＰＴＩを含めて基地局装置ｅＮｏｄｅＢにフィードバックするモードにおいて、基地局装置ｅＮｏｄｅＢで最後にフィードバックされたＲＩ及びＷＢ−ＰＭＩ１と変更後のＲＩとの組合せに応じてＷＢ−ＰＭＩ１として用いられる仮想ＰＭＩを予め蓄積しておき、移動端末装置ＵＥで最後にフィードバックされたＲＩと異なるＲＩを選択し、ＰＴＩの値に１を選択する場合には、当該変更後のＲＩ及びＰＴＩをサブフレームに多重し、多重した信号を物理上り制御チャネルで基地局装置ｅＮｏｄｅＢに送信し、基地局装置ｅＮｏｄｅＢで最後にフィードバックされたＲＩ及びＷＢ−ＰＭＩ１と変更後のＲＩとの組合せに応じた仮想ＰＭＩをプリコーディングウェイトの生成に用いることにより、複数の送信アンテナを用いた下りＭＩＭＯ伝送においても、確実にプリコーディングウェイトを生成することである。
【００３９】
以下、本発明の複数の態様について、図５を参照しながら説明する。本発明の第１の態様に係るＰＵＣＣＨを用いたフィードバック方法においては、８送信アンテナを用いた下りＭＩＭＯ伝送のためにＰＴＩを含めて基地局装置ｅＮｏｄｅＢにフィードバックするモードにおいて、ＰＴＩの値を０から１に変更する場合には、最後（最も直近）にフィードバックされたＲＩと同一のＲＩを選択し、当該ＲＩ及び変更後のＰＴＩをサブフレームに多重する。
【００４０】
図５に示すように、ＰＴＩの値を０から１に変更する場合において、ＲＩが示すランクを変更すると、ＰＴＩ＝１の場合にはＷＢ−ＰＭＩ１がサブフレームに多重されないことから、変更後のランクに応じたＷＢ−ＰＭＩ１が基地局装置ｅＮｏｄｅＢにフィードバックされない事態が発生し得る。第１の態様に係るフィードバック方法においては、ＰＴＩの値を０から１に変更する場合には、最後にフィードバックされたＲＩと同一のＲＩを選択し、当該ＲＩ及び変更後のＰＴＩをサブフレームに多重することから、ＰＴＩの値の変更と、ＲＩが示すランクの変更とが同時に行われるのを防止できるので、ＷＢ−ＰＭＩ１が欠落する事態を防止でき、８送信アンテナを用いた下りＭＩＭＯ伝送においても、基地局装置ｅＮｏｄｅＢにおいて、確実にプリコーディングウェイトを生成することが可能となる。
【００４１】
また、第１の態様に係るフィードバック方法においては、基地局装置ｅＮｏｄｅＢにおいて、ＰＴＩの値が０のときに最後にフィードバックされたＷＢ−ＰＭＩ１を蓄積しておき、この蓄積しておいたＷＢ−ＰＭＩ１をプリコーディングウェイトの生成に用いることが好ましい。この場合には、現在のワイドバンドのチャネル状態に最も近似するチャネル状態を反映したＷＢ−ＰＭＩ１に基づいてプリコーディングウェイトを生成することが可能となる。
【００４２】
本発明の第２の態様に係るＰＵＣＣＨを用いたフィードバック方法においては、８送信アンテナを用いた下りＭＩＭＯ伝送のためにＰＴＩを含めて基地局装置ｅＮｏｄｅＢにフィードバックするモードにおいて、最後（最も直近）にフィードバックされたＲＩと異なるＲＩを選択する場合にはＰＴＩの値に０を選択し、当該ＰＴＩ及び変更後のＲＩをサブフレームに多重する。
【００４３】
図５に示すように、最後にフィードバックされたＲＩと異なるＲＩを選択する場合において、ＰＴＩの値として１を選択すると、ＰＴＩ＝１の場合にはＷＢ−ＰＭＩ１がサブフレームに多重されないことから、変更後のランクに応じたＷＢ−ＰＭＩ１が基地局装置ｅＮｏｄｅＢにフィードバックされない事態が発生し得る。第２の態様に係るフィードバック方法においては、最後にフィードバックされたＲＩと異なるＲＩを選択する場合にはＰＴＩの値に０を選択し、当該ＰＴＩ及び変更後のＲＩをサブフレームに多重することから、ＰＴＩの値の変更と、ＲＩが示すランクの変更とが同時に行われるのを防止できるので、ＷＢ−ＰＭＩ１が欠落する事態を防止でき、８送信アンテナを用いた下りＭＩＭＯ伝送においても、基地局装置ｅＮｏｄｅＢにおいて、確実にプリコーディングウェイトを生成することが可能となる。
【００４４】
本発明の第３の態様に係るＰＵＣＣＨを用いたフィードバック方法においては、８送信アンテナを用いた下りＭＩＭＯ伝送のためにＰＴＩを含めて基地局装置ｅＮｏｄｅＢにフィードバックするモードにおいて、基地局装置ｅＮｏｄｅＢでＲＩに応じてＷＢ−ＰＭＩ１として用いられる仮想ＰＭＩを予め蓄積しておき、移動端末装置ＵＥで最後にフィードバックされたＲＩと異なるＲＩを選択し、ＰＴＩの値に１を選択する場合には、当該変更後のＲＩ及びＰＴＩをサブフレームに多重し、多重した信号を物理上り制御チャネルで基地局装置ｅＮｏｄｅＢに送信し、基地局装置ｅＮｏｄｅＢで変更後のＲＩに応じた仮想ＰＭＩをプリコーディングウェイトの生成に用いる。
【００４５】
図５に示すように、最後にフィードバックされたＲＩと異なるＲＩを選択する場合において、ＰＴＩの値として１を選択すると、ＰＴＩ＝１の場合にはＷＢ−ＰＭＩ１がサブフレームに多重されないことから、変更後のランク情報に応じたＷＢ−ＰＭＩ１が基地局装置ｅＮｏｄｅＢにフィードバックされない事態が発生し得る。第３の態様に係るフィードバック方法においては、移動端末装置ＵＥで最後にフィードバックされたＲＩと異なるＲＩを選択し、ＰＴＩの値に１を選択する場合には、変更後のＲＩに応じた仮想ＰＭＩがＷＢ−ＰＭＩ１としてプリコーディングウェイトの生成に用いられることから、変更後のＲＩに対応するＷＢ−ＰＭＩ１が欠落する事態を防止できるので、８送信アンテナを用いた下りＭＩＭＯ伝送においても、基地局装置ｅＮｏｄｅＢにおいて、確実にプリコーディングウェイトを生成することが可能となる。
【００４６】
なお、第３の態様に係るフィードバック方法において、基地局装置ｅＮｏｄｅＢにおいては、仮想ＰＭＩとして、例えば、変更後のＲＩが示すランクがランク１、２の場合にＷＢ−ＰＭＩ１を０とみなし、変更後のＲＩが示すランクがランク３、４の場合にＷＢ−ＰＭＩ１を１とみなし、変更後のＲＩが示すランクがランク５〜８の場合にＷＢ−ＰＭＩ１を２とみなすＰＭＩを蓄積しておくことが考えられる。
【００４７】
本発明の第４の態様に係るＰＵＣＣＨを用いたフィードバック方法においては、８送信アンテナを用いた下りＭＩＭＯ伝送のためにＰＴＩを含めて基地局装置ｅＮｏｄｅＢにフィードバックするモードにおいて、基地局装置ｅＮｏｄｅＢで最後にフィードバックされたＲＩ及びＷＢ−ＰＭＩ１と変更後のＲＩとの組合せに応じてＷＢ−ＰＭＩ１として用いられる仮想ＰＭＩを予め蓄積しておき、移動端末装置ＵＥで最後にフィードバックされたＲＩと異なるＲＩを選択し、ＰＴＩの値に１を選択する場合には、当該変更後のＲＩ及びＰＴＩをサブフレームに多重し、多重した信号を物理上り制御チャネルで基地局装置ｅＮｏｄｅＢに送信し、基地局装置ｅＮｏｄｅＢで最後にフィードバックされたＲＩ及びＷＢ−ＰＭＩ１と変更後のＲＩとの組合せに応じた仮想ＰＭＩをプリコーディングウェイトの生成に用いる。
【００４８】
図５に示すように、最後にフィードバックされたＲＩと異なるＲＩを選択する場合において、ＰＴＩの値として１を選択すると、ＰＴＩ＝１の場合にはＷＢ−ＰＭＩ１がサブフレームに多重されないことから、変更後のランク情報に応じたＷＢ−ＰＭＩ１が基地局装置ｅＮｏｄｅＢにフィードバックされない事態が発生し得る。第４の態様に係るフィードバック方法においては、最後にフィードバックされたＲＩと異なるＲＩを選択し、ＰＴＩの値に１を選択する場合には、最後にフィードバックされたＲＩ及びＷＢ−ＰＭＩ１と変更後のＲＩとの組合せに応じた仮想ＰＭＩがＷＢ−ＰＭＩ１としてプリコーディングウェイトの生成に用いられることから、変更後のＲＩに対応するＷＢ−ＰＭＩ１が欠落する事態を防止できるので、８送信アンテナを用いた下りＭＩＭＯ伝送においても、基地局装置ｅＮｏｄｅＢにおいて、確実にプリコーディングウェイトを生成することが可能となる。
【００４９】
なお、第４の態様に係るフィードバック方法において、基地局装置ｅＮｏｄｅＢにおいては、仮想ＰＭＩとして、例えば、変更後のＲＩがランク１〜８であって、且つ、最後にフィードバックされたＲＩがランク１〜８であり、最後にフィードバックされたＷＢ−ＰＭＩ１が０の場合にＷＢ−ＰＭＩ１を０とみなし、変更後のＲＩがランク１〜４であって、且つ、最後にフィードバックされたＲＩがランク１、２であり、最後にフィードバックされたＷＢ−ＰＭＩ１が１の場合にＷＢ−ＰＭＩ１を１とみなすＰＭＩを蓄積しておくことが考えられる。同様に、変更後のＲＩがランク１〜４であって、且つ、最後にフィードバックされたＲＩがランク３、４であり、最後にフィードバックされたＷＢ−ＰＭＩ１が１の場合にＷＢ−ＰＭＩ１を２とみなし、変更後のＲＩがランク１〜４であって、且つ、最後にフィードバックされたＲＩがランク５〜８であり、最後にフィードバックされたＷＢ−ＰＭＩ１が１の場合にＷＢ−ＰＭＩ１を４とみなすＰＭＩを蓄積しておくことが考えられる。
【００５０】
また、変更後のＲＩがランク５〜８であって、且つ、最後にフィードバックされたＲＩがランク１、２であり、最後にフィードバックされたＷＢ−ＰＭＩ１が１の場合にＷＢ−ＰＭＩ１を０とみなし、変更後のＲＩがランク５〜８であって、且つ、最後にフィードバックされたＲＩがランク３、４であり、最後にフィードバックされたＷＢ−ＰＭＩ１が１の場合にＷＢ−ＰＭＩ１を１とみなし、変更後のＲＩがランク５〜８であって、且つ、最後にフィードバックされたＲＩがランク５〜８であり、最後にフィードバックされたＷＢ−ＰＭＩ１が１の場合にＷＢ−ＰＭＩ１を２とみなすＰＭＩを蓄積しておくことが考えられる。なお、これらの対応関係は一例を示したものであり、最後にフィードバックされたＷＢ−ＰＭＩ１に基づいて形成される送信ビームを含むようなＷＢ−ＰＭＩ１を選択することが好ましい。
【００５１】
以下、本発明の実施の形態について、添付図面を参照して詳細に説明する。ここでは、ＬＴＥ−Ａシステムに対応する無線基地局装置及び移動端末装置を用いる場合について説明する。
【００５２】
図６を参照しながら、本発明の実施の形態に係る移動端末装置（ＵＥ）１０及び基地局装置（ｅＮｏｄｅＢ）２０を有する移動通信システム１について説明する。図６は、本発明の実施の形態に係る移動端末装置１０及び基地局装置２０を有する移動通信システム１の構成を説明するための図である。なお、図６に示す移動通信システム１は、例えば、ＬＴＥシステム又はＳＵＰＥＲ  ３Ｇが包含されるシステムである。また、この移動通信システム１は、ＩＭＴ−Ａｄｖａｎｃｅｄと呼ばれても良く、４Ｇと呼ばれても良い。
【００５３】
図６に示すように、移動通信システム１は、基地局装置２０と、この基地局装置２０と通信する複数の移動端末装置１０（１０１、１０２、１０３、・・・１０ｎ、ｎはｎ＞０の整数）とを含んで構成されている。基地局装置２０は、上位局装置３０と接続され、この上位局装置３０は、コアネットワーク４０と接続される。移動端末装置１０は、セル５０において基地局装置２０と通信を行っている。なお、上位局装置３０には、例えば、アクセスゲートウェイ装置、無線ネットワークコントローラ（ＲＮＣ）、モビリティマネジメントエンティティ（ＭＭＥ）等が含まれるが、これに限定されるものではない。
【００５４】
各移動端末装置（１０１、１０２、１０３、・・・１０ｎ）は、同一の構成、機能、状態を有するので、以下においては、特段の断りがない限り移動端末装置１０として説明を進める。また、説明の便宜上、基地局装置２０と無線通信するのは移動端末装置１０であるものとして説明するが、より一般的には移動端末装置も固定端末装置も含むユーザ装置（ＵＥ：User  Equipment）でよい。
【００５５】
移動通信システム１においては、無線アクセス方式として、下りリンクについてはＯＦＤＭＡ（直交周波数分割多元接続）が、上りリンクについてはＳＣ−ＦＤＭＡ（シングルキャリア−周波数分割多元接続）が適用される。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。
【００５６】
ここで、ＬＴＥシステムにおける通信チャネルについて説明する。下りリンクについては、各移動端末装置１０で共有されるＰＤＳＣＨと、下りＬ１／Ｌ２制御チャネル（ＰＤＣＣＨ（Physical  Downlink  Control  Channel）、ＰＣＦＩＣＨ（Physical  Control  Field  Indicator  Channel）、ＰＨＩＣＨ（Physical  Hybrid  automatic  repeat  request  Indicator  Channel）とが用いられる。このＰＤＳＣＨにより、ユーザデータ、すなわち、通常のデータ信号が伝送される。送信データは、このユーザデータに含まれる。なお、基地局装置２０で移動端末装置１０に割り当てたＣＣやスケジューリング情報は、Ｌ１／Ｌ２制御チャネルにより移動端末装置１０に通知される。
【００５７】
上りリンクについては、各移動端末装置１０で共有して使用されるＰＵＳＣＨ（Physical  Uplink  Shared  Channel）と、上りリンクの制御チャネルであるＰＵＣＣＨ（Physical  Uplink  Control  Channel）とが用いられる。このＰＵＳＣＨにより、ユーザデータが伝送される。また、ＰＵＣＣＨにより、下りリンクの無線品質情報（ＣＱＩ）などが伝送される。
【００５８】
（実施の形態１）
図７は、本発明の一実施の形態に係る移動端末装置１０の構成を示すブロック図である。図８は、本実施の形態に係る基地局装置２０の構成を示すブロック図である。なお、図７及び図８に示す移動端末装置１０及び基地局装置２０の構成は、本発明を説明するために簡略化したものであり、それぞれ通常の移動端末装置及び基地局装置が有する構成は備えているものとする。
【００５９】
図７に示す移動端末装置１０において、基地局装置２０から送出された送信信号は、アンテナ１〜ＮＲＸにより受信され、デュプレクサ（Ｄｕｐｌｅｘｅｒ）１０１＃１〜１０１＃Ｎにて送信経路と受信経路とに電気的に分離された後、ＲＦ受信回路１０２＃１〜１０２＃Ｎに出力される。そして、ＲＦ受信回路１０２＃１〜１０２＃Ｎにて、無線周波数信号からベースバンド信号に変換する周波数変換処理が施された後、受信タイミング推定部１０５及びＣＰ除去部１０３＃１〜１０３＃Ｎに出力される。受信タイミング推定部１０５においては、周波数変換処理された後の受信信号で受信タイミングを推定し、その受信タイミングをＣＰ除去部１０３＃１〜１０３＃Ｎに出力する。ＣＰ除去部１０３＃１〜１０３＃ＮでＣＰ（Cyclic  Prefix）が除去され、高速フーリエ変換部（ＦＦＴ部）１０４＃１〜１０４＃Ｎにてフーリエ変換され、時系列の信号から周波数領域の信号に変換される。周波数領域の信号に変換された受信信号は、チャネル推定部１０６及びデータチャネル信号復調部１０７に出力される。
【００６０】
チャネル推定部１０６は、ＦＦＴ部１０４＃１〜＃Ｎから出力された受信信号に含まれる参照信号からチャネル状態を推定し、推定したチャネル状態をデータチャネル信号復調部１０７、第１フィードバック情報選択部１０９及び第２フィードバック情報選択部１１０に通知する。データチャネル信号復調部１０７においては、通知されたチャネル状態に基づいて、データチャネル信号を復調する。復調されたデータチャネル信号は、チャネル復号部１０８において、チャネル復号されてユーザ＃ｋ信号に再生される。
【００６１】
第１フィードバック情報選択部１０９は、チャネル推定部１０６から通知されたチャネル状態に基づいてＰＭＩを選択する。ここで、第１フィードバック情報選択部１０９は、２つのコードブック、すなわちワイドバンド／長周期用の第１コードブックと、サブバンド／短周期用の第２コードブックとからＰＭＩを選択する。第１フィードバック情報選択部１０９は、第１コードブックからＷＢ−ＰＭＩ１を選択すると共に、第２コードブックからＷＢ−ＰＭＩ２を選択する。この場合、第１フィードバック情報選択部１０９は、ＳＵ−ＭＩＭＯ伝送用及びＭＵ−ＭＩＭＯ伝送用のＷＢ−ＰＭＩ１及びＷＢ−ＰＭＩ２を選択できるものとなっている。なお、この第１フィードバック情報選択部１０９は、フィードバック情報選択手段を構成する。
【００６２】
また、第１フィードバック情報選択部１０９は、チャネル推定部１０６から通知されたチャネル状態に基づいてＲＩを選択する。例えば、上述した第１の態様に係るフィードバック方法が適用される場合には、ＰＴＩの値に従ってＲＩが選択される。すなわち、ＰＴＩの値が０から１に変更される場合には、最後にフィードバックされたＲＩと同一のＲＩが選択される。さらに、第１フィードバック情報選択部１０９は、チャネル推定部１０６から通知されたチャネル状態に基づいてワイドバンドのチャネル品質を測定し、ＷＢ−ＰＭＩ１及びＷＢ−ＰＭＩ２に対応するＣＱＩ（ＷＢ−ＣＱＩ）を選択する。この場合、第１フィードバック情報選択部１０９は、ＳＵ−ＭＩＭＯ伝送用及びＭＵ−ＭＩＭＯ伝送用のＷＢ−ＣＱＩを選択できるものとなっている。
【００６３】
さらに、第１フィードバック情報選択部１０９は、選択したＲＩ及びＷＢ−ＰＭＩ１に基づいてＰＴＩを選択する。例えば、先に選択したＲＩ及びＷＢ−ＰＭＩ１との変更状態に応じてＰＴＩを選択する。例えば、上述した第２の態様に係るフィードバック方法が適用される場合には、ＲＩの値に従ってＰＴＩが選択される。すなわち、最後にフィードバックされたＲＩと異なるＲＩが選択される場合には、ＰＴＩの値に０が選択される。なお、ＰＴＩの値として０を選択した場合、第１フィードバック情報選択部１０９は、選択したＲＩ及びＷＢ−ＰＭＩ１を後述するＷＢ−ＰＭＩ１情報蓄積部１２０に出力する。これらのように第１フィードバック情報選択部１０９で選択されたＲＩ、ＷＢ−ＰＭＩ１、ＷＢ−ＰＭＩ２、ＰＴＩ及びＷＢ−ＣＱＩは、フィードバック制御信号生成部１１１に通知される。また、第１フィードバック情報選択部１０９で選択されたＲＩ、ＷＢ−ＰＭＩ１及びＰＴＩは、第２フィードバック情報選択部１１０に通知される。
【００６４】
第２フィードバック情報選択部１１０は、チャネル推定部１０６から通知されたチャネル状態に基づいてＰＭＩを選択する。第２フィードバック情報選択部１１０は、第２コードブックからＳＢ−ＰＭＩ２を選択する。第２フィードバック情報選択部１１０は、第１フィードバック情報選択部１０９から通知されたＲＩ及びＷＢ−ＰＭＩ１に基づいてサブバンド毎に最も受信ＳＩＮＲが大きくなるＳＢ−ＰＭＩ２を選択する。この場合、第２フィードバック情報選択部１１０は、ＳＵ−ＭＩＭＯ伝送用及びＭＵ−ＭＩＭＯ伝送用のＳＢ−ＰＭＩ２を選択できるものとなっている。
【００６５】
また、第２フィードバック情報選択部１１０は、チャネル推定部１０６から通知されたチャネル状態に基づいてサブバンドのチャネル品質を測定し、ＳＢ−ＰＭＩ２に対応するＣＱＩ（ＳＢ−ＣＱＩ）を選択する。この場合、第２フィードバック情報選択部１１０は、ＳＵ−ＭＩＭＯ伝送用及びＭＵ−ＭＩＭＯ伝送用のＳＢ−ＣＱＩを選択できるものとなっている。
【００６６】
さらに、第２フィードバック情報選択部１１０は、第１フィードバック情報選択部１０９から通知されたＰＴＩの値が１である場合にＷＢ−ＰＭＩ１情報蓄積部１２０に蓄積されたＲＩ、ＷＢ−ＰＭＩ１に基づいてＳＢ−ＰＭＩ２及びＳＢ−ＣＱＩを選択する。このように第２フィードバック情報選択部１１０で選択されたＳＢ−ＰＭＩ２及びＳＢ−ＣＱＩは、フィードバック制御信号生成部１１１に通知される。
【００６７】
ＷＢ−ＰＭＩ１情報蓄積部１２０は、第１フィードバック情報選択部１０９から入力されたＲＩ及びＷＢ−ＰＭＩ１を蓄積する。ＷＢ−ＰＭＩ１情報蓄積部１２０においては、第１フィードバック情報選択部１０９からＲＩ及びＷＢ−ＰＭＩ１が入力される都度、ＲＩ及びＷＢ−ＰＭＩ１の値が更新され、常に最後のＲＩ及びＷＢ−ＰＭＩ１が蓄積された状態となっている。
【００６８】
フィードバック制御信号生成部１１１は、通知されたＲＩ、ＰＭＩ（ＷＢ−ＰＭＩ１、ＷＢ−ＰＭＩ２、ＳＢ−ＰＭＩ２）及びＣＱＩ（ＷＢ−ＣＱＩ、ＳＢ−ＣＱＩ）に基づいて、これらを基地局装置２０にフィードバックする制御信号（例えば、ＰＵＣＣＨ信号）を生成する。この場合、フィードバック制御信号生成部１１１は、第１フィードバック情報選択部１０９から通知されたＰＴＩの値に応じてレポート１〜レポート３のフォーマットに従った制御信号を生成する。また、フィードバック制御信号生成部１１１は、ＰＵＣＣＨでフィードバックするためのＷＢ−ＰＭＩ１、ＷＢ−ＰＭＩ２、ＳＢ−ＰＭＩ２、ＷＢ−ＣＱＩ、ＳＢ−ＣＱＩ及びＲＩの情報をチャネル符号化・データ変調する。フィードバック制御信号生成部１１１で生成された制御信号やチャネル符号化後のＰＭＩ、ＣＱＩ、ＲＩは、マルチプレクサ（ＭＵＸ：多重部）１１５に出力される。
【００６９】
一方、上位レイヤから送出されたユーザ＃ｋに関する送信データ＃ｋは、チャネル符号化部１１２によりチャネル符号化された後、データ変調部１１３にてデータ変調される。データ変調部１１３にてデータ変調された送信データ＃ｋは、不図示の離散フーリエ変換部で逆フーリエ変換され、時系列の信号から周波数領域の信号に変換されて不図示のサブキャリアマッピング部に出力される。
【００７０】
サブキャリアマッピング部においては、送信データ＃ｋを、基地局装置２０から指示されたスケジュール情報に応じてサブキャリアにマッピングする。このとき、サブキャリアマッピング部は、不図示の参照信号生成部により生成された参照信号＃ｋを、送信データ＃ｋと共にサブキャリアにマッピング（多重）する。このようにしてサブキャリアにマッピングされた送信データ＃ｋがプリコーディング乗算部１１４に出力される。
【００７１】
プリコーディング乗算部１１４は、ＰＭＩに対応するプリコーディングウェイトに基づいて、受信アンテナ１〜ＮＲＸ毎に送信データ＃ｋを位相及び／又は振幅シフトする。プリコーディング乗算部１１４により位相及び／又は振幅シフトされた送信データ＃ｋは、多重手段を構成するマルチプレクサ（ＭＵＸ）１１５に出力される。
【００７２】
マルチプレクサ（ＭＵＸ）１１５においては、位相及び／又は振幅シフトされた送信データ＃ｋと、フィードバック制御信号生成部１１１により生成された制御信号とを合成し、受信アンテナ１〜ＮＲＸ毎の送信信号を生成する。このマルチプレクサ（ＭＵＸ）１１５におけるマッピング（多重）は、上述した第１〜第４の態様に従って行われる。すなわち、ＰＴＩの値に応じてレポート１〜レポート３に対応するフィードバック情報をそれぞれ異なるサブフレームに多重する。
【００７３】
マルチプレクサ（ＭＵＸ）１１５により生成された送信信号は、離散フーリエ変換部（ＤＦＴ部）１１６＃１〜１１６＃Ｎで離散フーリエ変換して時系列の信号から周波数領域の信号に変換される。その後、逆高速フーリエ変換部（ＩＦＦＴ部）１１７＃１〜１１７＃Ｎにて逆高速フーリエ変換され、周波数領域の信号から時間領域の信号に変換された後、ＣＰ付加部１１８＃１〜１１８＃ＮでＣＰが付加され、ＲＦ送信回路１１９＃１〜１１９＃Ｎへ出力される。
【００７４】
ＲＦ送信回路１１９＃１〜１１９＃Ｎにおいて、無線周波数帯に変換する周波数変換処理が施された後、デュプレクサ（Duplexer）１０１＃１〜１０１＃Ｎを介してアンテナ１〜アンテナＮＲＸに出力され、アンテナ１〜アンテナＮＲＸから上りリンクで無線基地局装置２０に送出される。なお、これらのＲＦ送信回路１１９＃１〜１１９＃Ｎ、デュプレクサ（Duplexer）１０１＃１〜１０１＃Ｎ及びアンテナ１〜アンテナＮＲＸは、制御信号を送信する送信手段を構成する。
【００７５】
一方、図８に示す基地局装置２０において、ユーザ＃１〜＃ｋに対する送信データ＃１〜＃ｋを対応するチャネル符号化部２０１＃１〜２０１＃ｋに送出する。ユーザ＃１〜＃ｋに対応するＲＲＣ  ｓｉｇｎａｌｉｎｇ生成部２２３＃１〜２２３＃ｋは、ＭＩＭＯ伝送方法（Transmission  mode）やＰＵＣＣＨ／ＰＵＳＣＨでのＣＳＩ（Channel  State  Information）フィードバックモード及びそのフィードバックモードにおけるフィードバック周期やオフセットパラメータなどの情報を含むＲＲＣ  ｓｉｇｎａｌｉｎｇを生成する。
【００７６】
送信データ＃１〜＃ｋは、チャネル符号化部２０１＃１〜２０１＃ｋでチャネル符号化された後、データ変調部２０２＃１〜２０２＃ｋに出力され、データ変調される。データ変調部２０２＃１〜２０２＃ｋでデータ変調された送信データ＃１〜＃ｋは、不図示の離散フーリエ変換部で逆離散フーリエ変換され、時系列の信号から周波数領域の信号に変換されてプリコーディング乗算部２０３＃１〜２０３＃ｋに出力される。
【００７７】
プリコーディング乗算部２０３＃１〜２０３＃ｋは、後述するプリコーディングウェイト生成部２２０から与えられるプリコーディングウェイトに基づいて、アンテナ１〜ＮＴＸ毎に送信データ＃１〜＃ｋを位相及び／又は振幅シフトする（プリコーディングによるアンテナ１〜ＮＴＸの重み付け）。プリコーディング乗算部２０３＃１〜２０３＃ｋにより位相及び／又は振幅シフトされた送信データ＃１〜＃ｋは、マルチプレクサ（ＭＵＸ）２０５に出力される。
【００７８】
マルチプレクサ（ＭＵＸ）２０５においては、位相及び／又は振幅シフトされた送信データ＃１〜＃ｋについて送信アンテナ１〜ＮＴＸ毎の送信信号を生成する。マルチプレクサ（ＭＵＸ）２０５により生成された送信信号は、離散フーリエ変換部（ＤＦＴ部）２０６＃１〜２０６＃ｋで離散フーリエ変換して時系列の信号から周波数領域の信号に変換される。その後、逆高速フーリエ変換部（ＩＦＦＴ部）２０７＃１〜２０７＃ｋにて逆高速フーリエ変換され、周波数領域の信号から時間領域の信号に変換された後、ＣＰ付加部２０８＃１〜２０８＃ｋでＣＰが付加され、ＲＦ送信回路２０９＃１〜２０９＃ｋへ出力される。
【００７９】
ＲＦ送信回路２０９＃１〜２０９＃Ｎにおいて、無線周波数帯に変換する周波数変換処理が施された後、デュプレクサ（Duplexer）２１０＃１〜２１０＃Ｎを介してアンテナ１〜アンテナＮＴＸに出力され、アンテナ１〜アンテナＮＴＸから下りリンクで移動端末装置１０に送出される。
【００８０】
移動端末装置１０から上りリンクで送出された送信信号は、アンテナ１〜ＮＴＸにより受信され、デュプレクサ（Duplexer）２１０＃１〜２１０＃Ｎにて送信経路と受信経路とに電気的に分離された後、ＲＦ受信回路２１１＃１〜２１１＃Ｎに出力される。そして、ＲＦ受信回路２１１＃１〜２１１＃Ｎにて、無線周波数信号からベースバンド信号に変換する周波数変換処理が施された後、受信タイミング推定部２２１及びＣＰ除去部２１２＃１〜２１２＃Ｎに出力される。受信タイミング推定部２２１においては、周波数変換処理された後の受信信号で受信タイミングを推定し、その受信タイミングをＣＰ除去部２１２＃１〜２１２＃Ｎに出力する。
【００８１】
ＣＰ除去部２１２＃１〜２１２＃ＮでＣＰが除去され、高速フーリエ変換部（ＦＦＴ部）２１３＃１〜２１３＃Ｎにてフーリエ変換され、時系列の信号から周波数領域の信号に変換される。その後、逆離散フーリエ変換部（ＩＤＦＴ部）２１４＃１〜２１４＃Ｎにて逆離散フーリエ変換され、周波数領域の信号から時間領域の信号に変換される。時間領域の信号に変換された受信信号は、チャネル推定部２１５＃１〜２１５＃Ｎ及びデータチャネル信号復調部２１６＃１〜２１６＃Ｎに出力される。
【００８２】
チャネル推定部２１５＃１〜２１５＃Ｎは、ＩＤＦＴ部２１４＃１〜２１４＃Ｎから出力された受信信号に含まれる参照信号からチャネル状態を推定し、推定したチャネル状態をデータチャネル信号復調部２１６＃１〜２１６＃Ｎに通知する。データチャネル信号復調部２１６＃１〜２１６＃Ｎにおいては、通知されたチャネル状態に基づいて、データチャネル信号を復調する。復調されたデータチャネル信号は、チャネル復号部２１７＃１〜２１７＃Ｎにおいて、チャネル復号されてユーザ＃１〜＃ｋ信号に再生される。なお、アンテナ１〜ＮＴＸ、デュプレクサ（Duplexer）２１０＃１〜２１０＃Ｎ及びＲＦ受信回路２１１＃１〜２１１＃Ｎは、制御信号を受信する受信手段を構成する。
【００８３】
フィードバック情報復調部２１８＃１〜２１８＃Ｎは、各制御チャネル信号（例えば、ＰＵＣＣＨ）に含まれる情報からチャネルに関する情報（チャネル情報）、例えば、ＰＵＣＣＨで通知されるＣＱＩやＰＭＩ、ＲＩ及びＰＴＩなどのフィードバック情報を復調する。フィードバック情報復調部２１８＃１〜２１８＃Ｎにより復調された情報は、それぞれＰＭＩ情報抽出部２１９＃１〜２１９＃Ｎ及びＣＱＩ情報抽出部２２２＃１〜２２２＃Ｎに出力される。特に、フィードバック情報復調部２１８＃１〜２１８＃Ｎは、ＰＵＣＣＨで通知されるＷＢ−ＰＭＩ１を復調すると、そのＷＢ−ＰＭＩ１を後述するＷＢ−ＰＭＩ１情報蓄積部２２４＃１〜２２４＃Ｎに出力する。
【００８４】
ＷＢ−ＰＭＩ１情報蓄積部２２４＃１〜２２４＃Ｎは、フィードバック情報復調部２１８＃１〜２１８＃Ｎから入力されたＷＢ−ＰＭＩ１を蓄積する。ＷＢ−ＰＭＩ１情報蓄積部２２４＃１〜２２４＃Ｎにおいては、フィードバック情報復調部２１８＃１〜２１８＃ＮからＷＢ−ＰＭＩ１が入力される都度、ＷＢ−ＰＭＩ１の値が更新され、常に最後のＷＢ−ＰＭＩ１が蓄積された状態となっている。なお、ＷＢ−ＰＭＩ１情報蓄積部２２４＃１〜２２４＃Ｎは、蓄積手段を構成する。
【００８５】
なお、上述した第３の態様に係るフィードバック方法が適用される場合、ＷＢ−ＰＭＩ１情報蓄積部２２４＃１〜２２４＃Ｎには、ＲＩに応じてＷＢ−ＰＭＩ１として用いられる仮想ＰＭＩが予め蓄積される。この場合、例えば、仮想ＰＭＩとして、変更後のＲＩが示すランクがランク１、２の場合にＷＢ−ＰＭＩ１を０とみなし、変更後のＲＩが示すランク情報がランク３、４の場合にＷＢ−ＰＭＩ１を１とみなし、変更後のＲＩが示すランク情報がランク５〜８の場合にＷＢ−ＰＭＩ１を２とみなすＰＭＩが蓄積される。
【００８６】
また、上述した第４の態様に係るフィードバック方法が適用される場合、ＷＢ−ＰＭＩ１情報蓄積部２２４＃１〜２２４＃Ｎには、最後にフィードバックされたＲＩ及びＷＢ−ＰＭＩ１と変更後のＲＩとの組合せに応じてＷＢ−ＰＭＩ１として用いられる仮想ＰＭＩが予め蓄積される。この場合、例えば、変更後のＲＩがランク１〜８であって、且つ、最後にフィードバックされたＲＩがランク１〜８であり、最後にフィードバックされたＷＢ−ＰＭＩ１が０の場合にＷＢ−ＰＭＩ１を０とみなし、変更後のＲＩがランク１〜４であって、且つ、最後にフィードバックされたＲＩがランク１、２であり、最後にフィードバックされたＷＢ−ＰＭＩ１が１の場合にＷＢ−ＰＭＩ１を１とみなすＰＭＩを蓄積しておくことが考えられる。同様に、変更後のＲＩがランク１〜４であって、且つ、最後にフィードバックされたＲＩがランク３、４であり、最後にフィードバックされたＷＢ−ＰＭＩ１が１の場合にＷＢ−ＰＭＩ１を２とみなし、変更後のＲＩがランク１〜４であって、且つ、最後にフィードバックされたＲＩがランク５〜８であり、最後にフィードバックされたＷＢ−ＰＭＩ１が１の場合にＷＢ−ＰＭＩ１を４とみなすＰＭＩが蓄積される。また、変更後のＲＩがランク５〜８であって、且つ、最後にフィードバックされたＲＩがランク１、２であり、最後にフィードバックされたＷＢ−ＰＭＩ１が１の場合にＷＢ−ＰＭＩ１を０とみなし、変更後のＲＩがランク５〜８であって、且つ、最後にフィードバックされたＲＩがランク３、４であり、最後にフィードバックされたＷＢ−ＰＭＩ１が１の場合にＷＢ−ＰＭＩ１を１とみなし、変更後のＲＩがランク５〜８であって、且つ、最後にフィードバックされたＲＩがランク５〜８であり、最後にフィードバックされたＷＢ−ＰＭＩ１が１の場合にＷＢ−ＰＭＩ１を２とみなすＰＭＩが蓄積される。
【００８７】
ＰＭＩ情報抽出部２１９＃１〜２１９＃Ｎは、フィードバック情報復調部２１８＃１〜２１８＃Ｎにより復調された情報からＰＭＩ情報を抽出する。この場合、ＰＭＩ情報抽出部２１９＃１〜２１９＃Ｎは、最後にフィードバックされたＲＩ及びＰＴＩに基づいて、ＰＵＣＣＨに含まれるレポート２、レポート３で指定されるＰＭＩ情報を抽出する。ここで、ＰＭＩ情報とは、第１コードブックから選択されたＷＢ−ＰＭＩ１と、第２コードブックＷ２から選択されたＷＢ−ＰＭＩ２及びＳＢ−ＰＭＩ２とを意味する。特に、ＰＭＩ情報抽出部２１９＃１〜２１９＃Ｎは、フィードバック情報復調部２１８＃１〜２１８＃Ｎから通知されたＰＴＩの値が１である場合に、ＷＢ−ＰＭＩ１情報蓄積部２２４＃１〜２２４＃Ｎに蓄積されたＷＢ−ＰＭＩ１をＰＭＩ情報として抽出する。抽出されたＷＢ−ＰＭＩ１、ＷＢ−ＰＭＩ２及びＳＢ−ＰＭＩ２は、プリコーディングウェイト生成部２２０に出力される。
【００８８】
なお、上述した第３の態様に係るフィードバック方法が適用される場合、ＰＭＩ情報抽出部２１９＃１〜２１９＃Ｎは、フィードバック情報復調部２１８＃１〜２１８＃Ｎからの情報に基づいて、最後にフィードバックされたＲＩと異なるＲＩが選択され、ＰＴＩの値に１が選択されたことを検出すると、変更後のＲＩに応じた仮想ＰＭＩをＷＢ−ＰＭＩ１情報蓄積部２２４＃１〜２２４＃ＮからＷＢ−ＰＭＩ１として取得する。このように取得された仮想ＰＭＩは、プリコーディングウェイト生成部２２０に出力される。
【００８９】
同様に、上述した第４の態様に係るフィードバック方法が適用される場合、ＰＭＩ情報抽出部２１９＃１〜２１９＃Ｎは、フィードバック情報復調部２１８＃１〜２１８＃Ｎからの情報に基づいて、最後にフィードバックされたＲＩと異なるＲＩが選択され、ＰＴＩの値に１が選択されたことを検出すると、最後にフィードバックされたＲＩ及びＷＢ−ＰＭＩ１と変更後のＲＩとの組合せに応じた仮想ＰＭＩをＷＢ−ＰＭＩ１情報蓄積部２２４＃１〜２２４＃ＮからＷＢ−ＰＭＩ１として抽出する。このように抽出された仮想ＰＭＩは、プリコーディングウェイト生成部２２０に出力される。なお、これらの場合、ＰＭＩ情報抽出部２１９＃１〜２１９＃Ｎは、蓄積手段から仮想ＰＭＩを取得する取得手段を構成する。
【００９０】
ＣＱＩ情報抽出部２２２＃１〜２２２＃Ｎは、フィードバック情報復調部２１８＃１〜２１８＃Ｎにより復調された情報からＣＱＩ情報を抽出する。ここで、ＣＱＩ情報とは、ＷＢ−ＣＱＩと、ＳＢ−ＣＱＩとを意味する。抽出されたＷＢ−ＣＱＩ及びＳＢ−ＣＱＩは、それぞれチャネル符号化部２０１＃１〜２０１＃ｋ、データ変調部２０２＃１〜２０２＃ｋに出力され、送信データ＃１〜送信データ＃ｋに対するＭＣＳの選択に利用される。
【００９１】
プリコーディングウェイト生成部２２０は、ＰＭＩ情報抽出部２１９＃１〜２１９＃Ｎから出力されたＷＢ−ＰＭＩ１、ＷＢ−ＰＭＩ２及びＳＢ−ＰＭＩ２、並びにＲＩに基づいて、送信データ＃１〜＃ｋに対する位相及び／又は振幅シフト量を示すプリコーディングウェイトを生成する。生成された各プリコーディングウェイトは、プリコーディング乗算部２０３＃１〜２０３＃ｋに出力され、送信データ＃１〜送信データ＃ｋのプリコーディングに利用される。なお、プリコーディングウェイト生成部２２０は、ウェイト生成手段を構成する。
【００９２】
このような構成を有する移動通信システム１において、第１の態様に係るフィードバック方法が適用される場合には、ＰＴＩの値を０から１に変更する場合には、第１フィードバック情報選択部１０９により最後にフィードバックされたＲＩと同一のＲＩが選択され、マルチプレクサ１１５によって当該ＲＩ及び変更後のＰＴＩがサブフレームに多重されることから、ＰＴＩの値の変更と、ＲＩが示すランクの変更とが同時に行われるのを防止できるので、ＷＢ−ＰＭＩ１が欠落する事態を防止でき、８送信アンテナを用いた下りＭＩＭＯ伝送においても、基地局装置ｅＮｏｄｅＢにおいて、確実にプリコーディングウェイトを生成することが可能となる。
【００９３】
特に、基地局装置２０において、フィードバック情報復調部２１８＃１〜２１８＃Ｎから通知されたＰＴＩの値が１である場合には、ＰＭＩ情報抽出部２１９＃１〜２１９＃Ｎにおいて、ＷＢ−ＰＭＩ１情報蓄積部２２４＃１〜２２４＃Ｎに蓄積されたＷＢ−ＰＭＩ１（ＰＴＩの値が０のときに最後にフィードバックされたＷＢ−ＰＭＩ１）がＰＭＩ情報として抽出され、プリコーディングウェイトの生成に用いられる。これにより、現在のワイドバンドのチャネル状態に最も近似するチャネル状態を反映したＷＢ−ＰＭＩ１に基づいてプリコーディングウェイトを生成することが可能となる。
【００９４】
また、移動通信システム１において、第２の態様に係るフィードバック方法が適用される場合には、最後にフィードバックされたＲＩと異なるＲＩを選択する場合には、第１フィードバック情報選択部１０９によりＰＴＩの値に０が選択され、マルチプレクサ１１５によって当該ＰＴＩ及び変更後のＲＩがサブフレームに多重されることから、ＰＴＩの値の変更と、ＲＩが示すランクの変更とが同時に行われるのを防止できるので、ＷＢ−ＰＭＩ１が欠落する事態を防止でき、８送信アンテナを用いた下りＭＩＭＯ伝送においても、基地局装置ｅＮｏｄｅＢにおいて、確実にプリコーディングウェイトを生成することが可能となる。
【００９５】
さらに、移動通信システム１において、第３の態様に係るフィードバック方法が適用される場合には、移動端末装置１０で最後にフィードバックされたＲＩと異なるＲＩが選択され、ＰＴＩの値に１が選択されると、ＰＭＩ情報抽出部２１９＃１〜２１９＃Ｎによって、ＷＢ−ＰＭＩ１情報蓄積部２２４＃１〜２２４＃Ｎから変更後のＲＩに応じた仮想ＰＭＩがＷＢ−ＰＭＩ１として抽出され、プリコーディングウェイトの生成に用いられることから、変更後のＲＩに対応するＷＢ−ＰＭＩ１が欠落する事態を防止できるので、８送信アンテナを用いた下りＭＩＭＯ伝送においても、基地局装置ｅＮｏｄｅＢにおいて、確実にプリコーディングウェイトを生成することが可能となる。
【００９６】
さらに、移動通信システム１において、第４の態様に係るフィードバック方法が適用される場合には、移動端末装置１０で最後にフィードバックされたＲＩと異なるＲＩが選択され、ＰＴＩの値に１が選択されると、ＰＭＩ情報抽出部２１９＃１〜２１９＃Ｎによって、ＷＢ−ＰＭＩ１情報蓄積部２２４＃１〜２２４＃Ｎから最後にフィードバックされたＲＩ及びＷＢ−ＰＭＩ１と変更後のＲＩとの組合せに応じた仮想ＰＭＩがＷＢ−ＰＭＩ１として取得され、プリコーディングウェイトの生成に用いられることから、変更後のＲＩに対応するＷＢ−ＰＭＩ１が欠落する事態を防止できるので、８送信アンテナを用いた下りＭＩＭＯ伝送においても、基地局装置ｅＮｏｄｅＢにおいて、確実にプリコーディングウェイトを生成することが可能となる。
【００９７】
（実施の形態２）
８送信アンテナを用いた下りＭＩＭＯ伝送におけるフィードバックモード２−１においては、図５（ａ）に示すように、ＰＴＩ＝０の場合にワイドバンドに関するフィードバック情報（ＷＢ−ＣＱＩ（ＣＷ１、ＣＷ２）及びＷＢ−ＰＭＩ２）が重複して送信されている。このようにＰＴＩ＝０の場合に重複して送信される同一のワイドバンドに関するフィードバック情報は、無線リソースの有効利用を阻害し得る。実施の形態２に係る移動通信システム１においては、同一のワイドバンドに関するフィードバック情報の重複送信を回避することにより、８送信アンテナを用いた下りＭＩＭＯ伝送において、スループット特性の向上を確保しながら、プリコーディングウェイト生成に必要となるＰＭＩをフィードバック可能とするものである。
【００９８】
すなわち、実施の形態２に係る移動通信システム１においては、複数の送信アンテナ（例えば、８送信アンテナ）を用いた下りＭＩＭＯ伝送のためにＰＵＣＣＨにＰＴＩを含めて基地局装置２０にフィードバックするモードにおいて、ＰＴＩ＝０の場合にレポート３に対応するフィードバック情報の一部にサブバンドに関するフィードバック情報を多重し、多重した信号をＰＵＣＣＨで基地局装置２０に送信することにより、８送信アンテナを用いた下りＭＩＭＯ伝送において、スループット特性の向上を確保しながら、プリコーディングウェイト生成に必要となるＰＭＩをフィードバックするものである。
【００９９】
図９は、本発明の実施の形態２に係る移動通信システム１におけるＰＵＣＣＨを用いたフィードバック方法の説明図である。図９（ａ）においては、ＰＴＩ＝０の場合におけるフィードバック情報を示し、図９（ｂ）においては、ＰＴＩ＝１の場合におけるフィードバック情報を示している。なお、図９においては、サブバンド（ＢＰ）数が２である場合について示している。また、図９においては、説明の便宜上、ＲＩが割り当てられるサブフレームを第１サブフレームと呼ぶものとする。
【０１００】
図９（ａ）に示すように、実施の形態２に係るフィードバック方法においては、レポート３に対応するフィードバック情報として、ワイドバンドに関するフィードバック情報を多重するとともに、サブバンドに関するフィードバック情報を多重する。具体的には、第４サブフレームにＷＢ−ＣＱＩ（ＣＷ１、ＣＷ２）及びＷＢ−ＰＭＩ２が多重されると共に、第６、第８サブフレームにＳＢ−ＣＱＩ（ＣＷ１、ＣＷ２）及びＳＢインデックスと、ＳＢ−ＰＭＩ２とが多重されている。ここでは、第６サブフレームにＳＢ−ＣＱＩ１（ＣＷ１、ＣＷ２）及びＳＢインデックス１と、ＳＢ−ＰＭＩ２とが多重され、第８サブフレームにＳＢ−ＣＱＩ２（ＣＷ１、ＣＷ２）及びＳＢインデックス２と、ＳＢ−ＰＭＩ２とが多重された場合について示している。
【０１０１】
実施の形態２に係るフィードバック方法においては、レポート３に対応するフィードバック情報の一部にサブバンドに関するフィードバック情報が多重されることから、ＰＴＩ＝０の場合であっても、最も受信ＳＩＮＲが大きくなるプリコーディングウェイトを選択する際に必要となるＳＢ−ＰＭＩ２を基地局装置２０にフィードバックすることができるので、基地局装置２０でスループット特性を改善できるプリコーディングウェイトを生成することができ、スループット特性の向上を確保することが可能となる。
【０１０２】
特に、実施の形態２に係るフィードバック方法においては、ＰＴＩ＝０（又はＰＴＩ＝１）の場合にＳＵ−ＭＩＭＯ用のフィードバック情報を多重し、ＰＴＩ＝１（又はＰＴＩ＝０）の場合にＭＵ−ＭＩＭＯ用のフィードバック情報を多重することが好ましい。この場合には、ＰＴＩの値に応じてＳＵ−ＭＩＭＯ用のフィードバック情報と、ＭＵ−ＭＩＭＯ用のフィードバック情報とを切り替えることができるので、基地局装置ｅＮｏｄｅＢでＳＵ−ＭＩＭＯ伝送と、ＭＵ−ＭＩＭＯ伝送とを適宜に切り替えることができ、柔軟にスループット特性の向上を確保することが可能となる。
【０１０３】
実施の形態２に係る移動通信システム１は、実施の形態１に係る移動通信システム１と共通の構成を有する移動端末装置１０及び基地局装置２０で実現される。但し、ＰＴＩの値に応じてＳＵ−ＭＩＭＯ用のフィードバック情報と、ＭＵ−ＭＩＭＯ用のフィードバック情報とを切り替えて多重する場合には、移動端末装置１０の第１フィードバック情報選択部１０９及びマルチプレクサ１１５、並びに、基地局装置２０のＲＲＣ  ｓｉｇｎａｌｉｎｇ生成部２２３＃１〜２２３＃ｋに機能が追加される。
【０１０４】
実施の形態２に係る第１フィードバック情報選択部１０９においては、基地局装置２０からＲＲＣ  ｓｉｇｎａｌｉｎｇにて通知された内容、或いは、基地局装置２０からＰＤＣＣＨで通知された内容（例えば、ＰＴＩの値）に応じてＰＴＩを選択する。これらのように基地局装置２０からの通知内容に応じてＰＴＩを選択することにより、基地局装置２０で選択されたＭＩＭＯ伝送方式に応じたＰＴＩの値を選択することが可能となる。特に、ＰＤＣＣＨで通知された内容に応じてＰＴＩの値を選択する場合には、動的にＰＴＩの値を切り替えることができ、ＳＵ−ＭＩＭＯ伝送方式の切り替えに柔軟に対応することが可能となる。
【０１０５】
また、第１フィードバック情報選択部１０９においては、基地局装置２０からＲＲＣ  ｓｉｇｎａｌｉｎｇやＰＤＣＣＨで予め通知された周期に従って定期的にＰＴＩの値を切り替えるようにしても良い。この場合、少なくとも一定周期（例えば、２０ｍｓ）でＰＴＩの値に０を選択する周期を設定することが好ましい。ＰＴＩの値に１を選択する場合における情報（ＳＢ−ＰＭＩ２などの情報）は、最後（最も直近）にフィードバックされたＷＢ−ＰＭＩ１（すなわち、最後にＰＴＩの値に０が選択された場合のＷＢ−ＰＭＩ１）に依存する。したがって、ＰＴＩの値に１が連続して選択され、長期間に亘ってＷＢ−ＰＭＩ１がフィードバックされないと、ＳＢ−ＰＭＩ２などの情報の精度が劣化して誤り伝搬率が増大する事態が発生し得る。上述のように一定周期でＰＴＩの値に０を選択することにより、ＰＴＩの値に１が連続して選択される場合の誤り伝搬の影響を抑制することが可能となる。
【０１０６】
さらに、第１フィードバック情報選択部１０９においては、移動端末装置１０で基地局装置２０からのＭＩＭＯ伝送方式（ＳＵ−ＭＩＭＯ伝送又はＭＵ−ＭＩＭＯ伝送）をブラインド検出し、その検出結果に適したＰＴＩの値を選択するようにしても良い。この場合には、移動端末装置１０におけるブラインド検出結果に応じてＰＴＩの値が選択されることから、基地局装置２０から特別なシグナリングを必要とすることなく、基地局装置２０で選択されたＭＩＭＯ伝送方式に応じたＰＴＩの値を選択することが可能となる。
【０１０７】
さらに、第１フィードバック情報選択部１０９においては、予め定めた閾値に従ってＰＴＩの値を選択するようにしても良い。例えば、現在の最適なＲＩやＷＢ−ＰＭＩ１を利用する場合に比べて、最後にフィードバックされたＲＩ、ＷＢ−ＰＭＩ１を利用した場合の送信レートのロスが５％を上回った場合にＰＴＩの値を切り替えることが考えられる。この場合にも、移動端末装置１０における計算結果に応じてＰＴＩの値が選択されることから、基地局装置２０から特別なシグナリングを必要とすることなく、基地局装置２０で選択されたＭＩＭＯ伝送方式に応じたＰＴＩの値を選択することが可能となる。
【０１０８】
さらに、第１フィードバック情報選択部１０９においては、ＲＩが示すランクに依存してＰＴＩの値を選択するようにしても良い。例えば、ランクが比較的高い場合にはＳＵ−ＭＩＭＯ伝送が中心であり、ＭＵ−ＭＩＭＯ伝送が選択される可能性が低いので、ＰＴＩ＝０をより頻繁にフィードバックする。一方、ランクが低い場合にはＭＵ−ＭＩＭＯ伝送が選択される可能性が高いので、ＰＴＩ＝１をより頻繁にフィードバックすることが考えられる。この場合にも、移動端末装置１０における計算結果に応じてＰＴＩの値が選択されることから、基地局装置２０から特別なシグナリングを必要とすることなく、基地局装置２０で選択されたＭＩＭＯ伝送方式に応じたＰＴＩの値を選択することが可能となる。なお、この場合、ランクの依存した周期を定義しておき、その周期に従って定期的にＰＴＩの値を切り替えるようにしても良い。
【０１０９】
実施の形態２に係るマルチプレクサ１１５においては、第１フィードバック情報選択部１０９によるＰＴＩの値の選択結果に応じて、レポート３に対応するフィードバック情報にＳＵ−ＭＩＭＯ用のフィードバック情報と、ＭＵ−ＭＩＭＯ用のフィードバック情報とを切り替えて多重する。例えば、ＰＴＩ＝０の場合にレポート３に対応するフィードバック情報にＳＵ−ＭＩＭＯ用のフィードバック情報が多重され、ＰＴＩ＝１の場合にレポート３に対応するフィードバック情報にＭＵ−ＭＩＭＯ用のフィードバック情報が多重される。
【０１１０】
実施の形態２に係るＲＲＣ  ｓｉｇｎａｌｉｎｇ生成部２２３＃１〜２２３＃ｋにおいては、上述した第１フィードバック情報選択部１０９の構成に応じて、ＰＴＩの値や、その値に対応付けられた周期などの情報を含むＲＲＣ  ｓｉｇｎａｌｉｎｇが生成される。すなわち、基地局装置２０からの送信データ＃１〜＃ｋには、ＰＴＩの値や、その値に対応付けられた周期などの情報を含むＲＲＣ  ｓｉｇｎａｌｉｎｇが含まれる。
【０１１１】
このような構成を有する移動通信システム１において、第１フィードバック情報選択部１０９によりＰＴＩの値に０が選択された場合に、マルチプレクサ１１５によってレポート３に対応するフィードバック情報の一部にサブバンドに関するフィードバック情報が多重されることから、ＰＴＩの値が０の場合であっても、最も受信ＳＩＮＲが大きくなるプリコーディングウェイトを選択する際に必要となるＳＢ−ＰＭＩ２を基地局装置２０にフィードバックすることができるので、基地局装置２０でスループット特性を改善できるプリコーディングウェイトを生成することができ、スループット特性の向上を確保することが可能となる。
【０１１２】
特に、実施の形態２に係る移動通信システム１においては、第１フィードバック情報選択部１０９によりＰＴＩの値に０が選択された場合に、マルチプレクサ１１５によってレポート３にＳＵ−ＭＩＭＯ用のフィードバック情報が多重され、第１フィードバック情報選択部１０９によりＰＴＩの値に１が選択された場合に、マルチプレクサ１１５によってレポート３にＭＵ−ＭＩＭＯ用のフィードバック情報が多重されることから、ＰＴＩの値に応じてＳＵ−ＭＩＭＯ用のフィードバック情報と、ＭＵ−ＭＩＭＯ用のフィードバック情報とを切り替えることができるので、基地局装置２０でＳＵ−ＭＩＭＯ伝送と、ＭＵ−ＭＩＭＯ伝送とを適宜に切り替えることができ、柔軟にスループット特性の向上を確保することが可能となる。
【０１１３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【０１１４】
例えば、以上の説明においては、物理上り制御チャネル（ＰＵＣＣＨ）にＰＴＩを含めてフィードバックする態様として、基地局装置２０が８送信アンテナを備える場合にについて説明しているが、本発明が適用される基地局装置２０の構成については、必ずしもこれに限定されるものではない。例えば、基地局装置２０が２送信アンテナや、４送信アンテナを備える場合についても適用することが可能である。
【符号の説明】
【０１１５】
１  移動通信システム
１０  移動端末装置
２０  無線基地局装置
３０  上位局装置
４０  コアネットワーク
１０１，２１０  デュプレクサ（Duplexer）
１０２，２１１  ＲＦ受信回路
１０３，２１２  ＣＰ除去部
１０４，２１３  ＦＦＴ部
１０５，２２１  受信タイミング推定部
１０６，２１５  チャネル推定部
１０７，２１６  データチャネル信号復調部
１０８，２１７  チャネル復号部
１０９  第１フィードバック情報選択部
１１０  第２フィードバック情報選択部
１１１  フィードバック制御信号生成部
１１２，２０１  チャネル符号化部
１１３，２０２  データ変調部
１１４，２０３  プリコーディング乗算部
１１５，２０５  マルチプレクサ（ＭＵＸ）
１１６，２０６  ＤＦＴ部
１１７，２０７  ＩＦＦＴ部
１１８，２０８  ＣＰ付加部
１１９，２０９  ＲＦ送信回路
１２０，２２４  ＷＢ−ＰＭＩ１情報蓄積部
２１８  フィードバック情報復調部
２１９  ＰＭＩ情報抽出部
２２０  プリコーディングウェイト生成部
２２２  ＣＱＩ情報抽出部
２２３  ＲＲＣｓｉｇｎａｌｉｎｇ生成部
【図１】
0005357126.tif 000002
【図２】
0005357126.tif 000003
【図３】
0005357126.tif 000004
【図４】
0005357126.tif 000005
【図５】
0005357126.tif 000006
【図６】
0005357126.tif 000007
【図７】
0005357126.tif 000008
【図８】
0005357126.tif 000009
【図９】
0005357126.tif 000010